(57)【要約】【課題】ユーザーが所望のコンテンツを選択可能な、コンテンツ情報を表示する表示装置を提供すること。【解決手段】ＤＡＰ１は、表示部４と、表示部４に、楽曲に関するタイトル名を表示するＣＰＵ２と、を備える。ＣＰＵ２は、複数のタイトル名において、重複文字列がある場合、複数のタイトル名のうち、先頭のタイトル名を左詰で表示し、先頭のタイトル名以外の複数のタイトル名においては、重複文字列を省略した情報を表示する。【選択図】図２
2018010704.tif 000002
【特許請求の範囲】
【請求項１】
表示部と、
前記表示部に、コンテンツに関するコンテンツ情報を表示する制御部と、を備え、
前記制御部は、
複数の前記コンテンツ情報において、重複文字列がある場合、
前記複数のコンテンツ情報のうち、先頭の前記コンテンツ情報を左詰で表示し、
前記先頭のコンテンツ情報以外の前記複数のコンテンツ情報においては、前記重複文字列を省略した情報を表示することを特徴とする表示装置。
【請求項２】
前記制御部は、前記先頭のコンテンツ情報以外の前記複数のコンテンツ情報においては、前記コンテンツ情報を右詰で表示することを特徴とする請求項１に記載の表示装置。
【請求項３】
前記制御部は、前記先頭のコンテンツ情報以外の前記複数のコンテンツ情報においては、前記先頭のコンテンツ情報以外の前記複数のコンテンツ情報における文字列の最大数に基づいて、省略する文字列を決定することを特徴とする請求項１に記載の表示装置。
【請求項４】
前記制御部は、前記先頭のコンテンツ情報以外の前記複数のコンテンツ情報における文字列が最大数の前記コンテンツ情報を右詰で表示し、表示できない前記重複文字列を省略する文字列に決定することを特徴とする請求項３に記載の表示装置。
【請求項５】
前記コンテンツは、楽曲であり、
前記コンテンツ情報は、前記楽曲のタイトル名であることを特徴とする請求項１〜４のいずれか１項に記載の表示装置。
【請求項６】
表示部と、
制御部と、を備える表示装置の制御プログラムであって、
前記表示部へのコンテンツに関するコンテンツ情報の表示、
複数の前記コンテンツ情報において、重複文字列がある場合、
前記複数のコンテンツ情報のうち、先頭の前記コンテンツ情報の左詰での表示、
前記先頭のコンテンツ情報以外の前記複数のコンテンツ情報においては、前記重複文字列を省略した情報の表示、
を実行させることを特徴とする表示装置の制御プログラム。
【発明の詳細な説明】
【技術分野】
【０００１】
本発明は、音楽等のコンテンツに関するコンテンツ情報を表示する表示装置、及び、表示装置の制御プログラムに関する。
【背景技術】
【０００２】
音楽等のコンテンツに関するコンテンツ情報（例えば、楽曲のタイトル名）を表示する表示装置において、コンテンツ情報は、リスト形式で表示される（例えば、特許文献１参照。）。図１１は、従来のリスト形式でコンテンツ情報を表示する表示画面の一例を示す図である。図１１に示すように、表示画面の上部には、アルバム名が表示されている。アルバム名の表示領域の下に、アルバムに含まれる楽曲のタイトル名が表示されている。
【先行技術文献】
【特許文献】
【０００３】
【特許文献１】特開２００９−１４６４８３号公報
【特許文献２】特開２０１５−１７７１９７号公報
【発明の概要】
【発明が解決しようとする課題】
【０００４】
表示領域が限られている表示装置においては、クラシックのようにタイトル名が長い場合、タイトル名が省略されてしまう。このため、クラシックのように同じようなタイトル名が連続するアルバムの場合、タイトルに関する同じ情報しか表示されない。例えば、図１１においては、同じ情報である「Rachmaninov: Rhapsody On A Theme Of Paganini, Op…」しか表示されていない。このため、ユーザーは、所望のタイトル名の楽曲を選択することが難しい。
【０００５】
なお、特許文献２では、番組のタイトル名に重複部分がある場合、重複部分を省略して表示する技術が開示されている。しかしながら、重複部分が省略されるため、番組のタイトル名が分かりにくいという問題がある。
【０００６】
本発明の目的は、ユーザーが所望のコンテンツを選択可能な、コンテンツ情報を表示する表示装置を提供することである。
【課題を解決するための手段】
【０００７】
第１の発明の表示装置は、表示部と、前記表示部に、コンテンツに関するコンテンツ情報を表示する制御部と、を備え、前記制御部は、複数の前記コンテンツ情報において、重複文字列がある場合、前記複数のコンテンツ情報のうち、先頭の前記コンテンツ情報を左詰で表示し、前記先頭のコンテンツ情報以外の前記複数のコンテンツ情報においては、前記重複文字列を省略した情報を表示することを特徴とする。
【０００８】
本発明では、制御部は、複数のコンテンツ情報のうち、先頭のコンテンツ情報を左詰で表示し、先頭のコンテンツ情報以外の複数のコンテンツ情報においては、重複文字列を省略した情報を表示する。このため、各コンテンツ情報において、異なる情報が表示されるため、長い文字数のコンテンツ情報があっても、表示できる文字数が多くなる。これにより、ユーザーが所望のコンテンツを選択しやすくなる。
【０００９】
第２の発明の表示装置は、第１の発明の表示装置において、前記制御部は、前記先頭のコンテンツ情報以外の前記複数のコンテンツ情報においては、前記コンテンツ情報を右詰で表示することを特徴とする。
【００１０】
第３の発明の表示装置は、第１の発明の表示装置において、前記制御部は、前記先頭のコンテンツ情報以外の前記複数のコンテンツ情報においては、前記先頭のコンテンツ情報以外の前記複数のコンテンツ情報における文字列の最大数に基づいて、省略する文字列を決定することを特徴とする。
【００１１】
第４の発明の表示装置は、第３の発明の表示装置において、前記制御部は、前記先頭のコンテンツ情報以外の前記複数のコンテンツ情報における文字列が最大数の前記コンテンツ情報を右詰で表示し、表示できない前記重複文字列を省略する文字列に決定することを特徴とする。
【００１２】
第５の発明の表示装置は、第１〜第４のいずれかの発明の表示装置において、前記コンテンツは、楽曲であり、前記コンテンツ情報は、前記楽曲のタイトル名であることを特徴とする。
【００１３】
本発明では、制御部は、複数のタイトル名のうち、先頭のタイトル名を左詰で表示し、先頭のタイトル名以外の複数のタイトル名においては、重複文字列を省略した情報を表示する。このため、各タイトル名において、異なる情報が表示されるため、長い文字数のタイトル名があっても、表示できる文字数が多くなる。これにより、ユーザーが所望の楽曲を選択しやすくなる。
【００１４】
第６の発明の表示装置の制御プログラムは、表示部と、制御部と、を備える表示装置の制御プログラムであって、前記表示部へのコンテンツに関するコンテンツ情報の表示、複数の前記コンテンツ情報において、重複文字列がある場合、前記複数のコンテンツ情報のうち、先頭の前記コンテンツ情報の左詰での表示、前記先頭のコンテンツ情報以外の前記複数のコンテンツ情報においては、前記重複文字列を省略した情報の表示、を実行させることを特徴とする。
【発明の効果】
【００１５】
本発明によれば、ユーザーが所望のコンテンツを選択しやすくなる。
【図面の簡単な説明】
【００１６】
【図１】本発明の実施形態に係るデジタルオーディオプレーヤーの構成を示すブロック図である。
【図２】楽曲のタイトル名を表示する表示画面の一例である。
【図３】リストを表示する場合のデジタルオーディオプレーヤーの処理動作を示すフローチャートである。
【図４】リストを表示する場合のデジタルオーディオプレーヤーの処理動作を示すフローチャートである。
【図５】楽曲のタイトル名を表示する表示画面の一例である。
【図６】リストを表示する場合のデジタルオーディオプレーヤーの処理動作を示すフローチャートである。
【図７】リストを作成する場合のデジタルオーディオプレーヤーの処理動作を示すフローチャートである。
【図８】リストを作成する場合のデジタルオーディオプレーヤーの処理動作を示すフローチャートである。
【図９】パターンリストを作成する場合のデジタルオーディオプレーヤーの処理動作を示すフローチャートである。
【図１０】パターンリストの一致を確認する場合のデジタルオーディオプレーヤーの処理動作を示すフローチャートである。
【図１１】従来のリスト形式でコンテンツ情報を表示する表示画面の一例を示す図である。
【発明を実施するための形態】
【００１７】
（第１実施形態）
以下、本発明の実施形態について説明する。図１は、本発明の実施形態に係るデジタルオーディオプレーヤー（以下、「ＤＡＰ」という。）の構成を示すブロック図である。ＤＡＰ１（表示装置）は、ヘッドホン１０１にアナログオーディオデータ（音声信号）を出力する。ヘッドホン１０１は、アナログオーディオデータに基づいて、音声を外部に出力する。図１に示すように、ＤＡＰ１は、ＣＰＵ２、記憶部３、表示部４、操作部５、ＤＳＰ６、Ｄ／Ａコンバーター（以下、「ＤＡＣ」という。）７、増幅回路８、無線モジュール９、ＵＳＢインターフェース（以下、「ＵＳＢ  Ｉ／Ｆ」という。）１０を備える。
【００１８】
ＣＰＵ（Central Processing Unit）２（制御部）は、制御プログラム、ＯＳプログラム、アプリケーションプログラムに従って、ＤＡＰ１を構成する各部を制御する。記憶部３は、ＣＰＵ２の主メモリとして機能するＲＡＭ（Random Access Memory）、制御プログラムを記憶するＲＯＭ（Read Only Memory）、ＯＳプログラム、アプリケーションプログラム等のプログラム、デジタルオーディオデータ等の各種データを記憶するフラッシュメモリから構成されている。なお、記憶部３は、例示する構成に限られず、ＨＤＤ（Hard Disk Drive）等を含んでいてもよい。
【００１９】
表示部４は、種々の画像（静止画像、動画像を含む）を表示するものであり、液晶パネルにより構成されている。操作部５は、各種設定を行うための操作キー、及び、表示部４と連動したタッチパネルを備えている。ユーザーは、操作部５を介して、各種の文字入力、設定などを行うことが可能である。
【００２０】
ＤＳＰ（Digital Signal Processor）６は、デジタルオーディオデータに、イコライザー処理等の信号処理を行う。ＤＡＣ７は、デジタルオーディオデータをアナログオーディオデータにＤ／Ａ変換する。増幅回路８は、ＤＡＣ７がＤ／Ａ変換したアナログオーディオデータを増幅し、ヘッドホン１０１に出力する。無線モジュール９は、Ｂｌｕｅｔｏｏｔｈ（登録商標）規格、Ｗｉ−Ｆｉ規格に従った無線通信を行うためのものである。ＵＳＢ  Ｉ／Ｆ１０は、ＵＳＢ規格に従った通信を行うためのものである。
【００２１】
ＣＰＵ２は、表示部４に、楽曲（コンテンツ）に関するタイトル名（コンテンツ情報）を表示する。このとき、ＣＰＵ２は、複数のタイトル名において、重複文字列が存在する場合、複数のタイトル名のうち、先頭のタイトル名を左詰で（先頭から）表示する。また、ＣＰＵ２は、先頭のタイトル名以外の複数のタイトル名においては、重複文字列を省略して表示する。言い換えれば、ＣＰＵ２は、複数のタイトル名において、重複文字列が存在する場合、Ｎ番目（Ｎは自然数）のタイトル名を全文表示、（Ｎ＋１）番目以降のタイトル名の重複文字列を省略して表示する。
【００２２】
第１実施形態では、図２に示すように、ＣＰＵ２は、先頭のタイトル名以外の複数のタイトル名においては、右詰で表示する。言い換えれば、ＣＰＵ２は、（Ｎ＋１）番目以降のタイトル名を右詰で表示する。図２においては、重複文字列「Rachmaninov: Rhapsody On A Theme Of Paganini」等が省略して表示されている。
【００２３】
リストを表示する場合のＤＡＰ１の処理動作を、図３及び図４に示すフローチャートに基づいて説明する。まず、ＣＰＵ２は、Ｎを０とする（Ｓ１）。次に、ＣＰＵ２は、Ｎ番目のタイトル名を取得する（Ｓ２）。次に、ＣＰＵ２は、Ｎ番目のタイトル名を左詰で表示する（Ｓ３）。次に、ＣＰＵ２は、ＭをＮとする（Ｓ４）。次に、ＣＰＵ２は、（Ｍ＋１）番目のタイトル名を取得する（Ｓ５）。次に、ＣＰＵ２は、（Ｍ＋１）番目のタイトル名が表示領域からはみ出すか否かを判断する（Ｓ６）。ＣＰＵ２は、（Ｍ＋１）番目のタイトル名が表示領域からはみ出すと判断した場合（Ｓ６：Ｙｅｓ）、仮グループ名が保存されているか否かを判断する（Ｓ７）。ここで、仮グループ名は、複数のタイトル名における重複文字列である。
【００２４】
ＣＰＵ２は、仮グループ名が保存されていると判断した場合（Ｓ７：Ｙｅｓ）、タイトル名に仮グループ名が含まれているか否かを判断する（Ｓ８）。ＣＰＵ２は、タイトル名に仮グループ名が含まれていると判断した場合（Ｓ８：Ｙｅｓ）、（Ｍ＋１）番目のタイトル名を右詰で表示する（Ｓ９）。次に、ＣＰＵ２は、全楽曲のタイトル名を表示したか否かを判断する（Ｓ１０）。ＣＰＵ２は、全楽曲のタイトル名を表示したと判断した場合（Ｓ１０：Ｙｅｓ）、処理を終了する。ＣＰＵ２は、全楽曲のタイトル名を表示していないと判断した場合（Ｓ１０：Ｎｏ）、Ｍを１増加させる（Ｓ１１）。次に、ＣＰＵ２は、Ｓ５の処理を行う。
【００２５】
ＣＰＵ２は、仮グループ名が保存されていないと判断した場合（Ｓ７：Ｎｏ）、タイトル名の先頭の文字列が１単語以上同じであるか否かを判断する（Ｓ１２）。ＣＰＵ２は、タイトル名の先頭の文字列が１単語以上同じであると判断した場合（Ｓ１２：Ｙｅｓ）、同じ文字列を抜き出して、仮グループ名として保存する（Ｓ１３）。次に、ＣＰＵ２は、（Ｍ＋１）番目のタイトル名を右詰で表示する（Ｓ９）。
【００２６】
ＣＰＵ２は、（Ｍ＋１）番目のタイトル名が表示領域からはみ出さないと判断した場合（Ｓ６：Ｎｏ）、又は、タイトル名に仮グループ名が含まれていないと判断した場合（Ｓ８：Ｎｏ）、保存されている仮グループ名を削除する（Ｓ１４）。ＣＰＵ２は、Ｓ１４の処理の後、又は、タイトル名の先頭の文字列が１単語以上同じでないと判断した場合（Ｓ１２：Ｎｏ）、全楽曲のタイトル名を表示したか否かを判断する（Ｓ１５）。ＣＰＵ２は、全楽曲のタイトル名を表示したと判断した場合（Ｓ１５：Ｙｅｓ）、処理を終了する。ＣＰＵ２は、全楽曲のタイトル名を表示していないと判断した場合（Ｓ１５：Ｎｏ）、Ｎを１増加させる（Ｓ１６）。次に、ＣＰＵ２は、Ｓ２の処理を行う。
【００２７】
（第２実施形態）
第２実施形態では、ＣＰＵ２は、先頭のタイトル名以外の複数のタイトル名においては、先頭のタイトル名以外の複数のタイトル名における文字列の最大数に基づいて、省略する文字列を決定する。具体的には、ＣＰＵ２は、図５に示すように、文字列が最大数のタイトル名（図５における２番目のタイトル名）を右詰で表示し、表示できない重複文字列を省略文字列に決定する。そして、ＣＰＵ２は、省略文字列を重複記号「〃」で表示する。ＣＰＵ２は、他のタイトル名においては、省略文字列を重複記号「〃」で表示し、残りの文字列はそのまま表示する。
【００２８】
リストを表示する場合のＤＡＰ１の処理動作を、図６に示すフローチャートに基づいて説明する。まず、ＣＰＵ２は、リスト内の全楽曲情報（タイトル名）を取得する（Ｓ２１）。次に、ＣＰＵ２は、リストから同じタイトル部分（重複文字列）を検索し、グループ化した配列の集合に格納する（リスト作成）（Ｓ２２）。次に、ＣＰＵ２は、同じグループ名で１番目のタイトル名を左詰で表示する（Ｓ２３）。次に、ＣＰＵ２は、同じグループ名で、且つ、２番目以降のタイトル名で省略文字を「〃」で表示し、省略文字以降のタイトル名をそのまま表示する（Ｓ２４）。次に、ＣＰＵ２は、全楽曲のタイトル名を表示したか否かを判断する（Ｓ２５）。ＣＰＵ２は、全楽曲のタイトル名を表示したと判断した場合（Ｓ２５：Ｙｅｓ）、処理を終了する。ＣＰＵ２は、全楽曲のタイトル名を表示していないと判断した場合（Ｓ２５：Ｎｏ）、Ｓ２３の処理を実行する。
【００２９】
リストを作成する場合のＤＡＰ１の処理動作を、図７及び図８に示すフローチャートに基づいて説明する。まず、ＣＰＵ２は、Ｎを０とする（Ｓ３１）。次に、ＣＰＵ２は、Ｎ番目のタイトル名を取得する（Ｓ３２）。次に、ＣＰＵ２は、表示領域からはみ出している文字列を抜き出して、省略文字として保存する（Ｓ３３）。次に、ＣＰＵ２は、ＭをＮとする（Ｓ３４）。次に、ＣＰＵ２は、（Ｍ＋１）番目のタイトル名を取得する（Ｓ３５）。次に、ＣＰＵ２は、（Ｍ＋１）番目のタイトル名が表示領域からはみ出すか否かを判断する（Ｓ３６）。ＣＰＵ２は、（Ｍ＋１）番目のタイトル名が表示領域からはみ出すと判断した場合（Ｓ３６：Ｙｅｓ）、グループ名が保存されているか否かを判断する（Ｓ３７）。
【００３０】
ＣＰＵ２は、グループ名が保存されていると判断した場合（Ｓ３７：Ｙｅｓ）、タイトル名がグループ名に含まれているか否かを判断する（Ｓ３８）。ＣＰＵ２は、タイトル名がグループ名に含まれていると判断した場合（Ｓ３８：Ｙｅｓ）、Ｍ番目の文字列サイズが、（Ｍ＋１）番目の文字列サイズ以上であるか否かを判断する（Ｓ３９）。ＣＰＵ２は、Ｍ番目の文字列サイズが、（Ｍ＋１）番目の文字列サイズ以上でないと判断した場合（Ｓ３９：Ｎｏ）、表示領域からはみ出している文字列を抜き出して、省略文字として保存する（Ｓ４０）。ＣＰＵ２は、Ｓ４０の処理の後、又は、Ｍ番目の文字列サイズが、（Ｍ＋１）番目の文字列サイズ以上であると判断した場合（Ｓ３９：Ｙｅｓ）、全楽曲のタイトル名をリスト化したか否かを判断する（Ｓ４１）。
【００３１】
ＣＰＵ２は、全楽曲のタイトル名をリスト化したと判断した場合（Ｓ４１：Ｙｅｓ）、処理を終了する。ＣＰＵ２は、全楽曲のタイトル名をリスト化していないと判断した場合（Ｓ４１：Ｎｏ）、Ｍを１増加させる（Ｓ４２）。次に、ＣＰＵ２は、Ｓ３４の処理を行う。
【００３２】
ＣＰＵ２は、グループ名が保存されていないと判断した場合（Ｓ３７：Ｎｏ）、タイトル名の先頭の文字列が１単語以上同じであるか否かを判断する（Ｓ４３）。ＣＰＵ２は、タイトル名の先頭の文字列が１単語以上同じであると判断した場合（Ｓ４３：Ｙｅｓ）、同じ文字列を抜き出して、グループ名として保存する（Ｓ４４）。次に、ＣＰＵ２は、Ｓ３９の処理を行う。
【００３３】
ＣＰＵ２は、タイトル名が表示領域からはみ出していないと判断した場合（Ｓ３６：Ｎｏ）、又は、タイトル名にグループ名が含まれていないと判断した場合（Ｓ３８：Ｎｏ）、保存されているグループ名を削除する（Ｓ４５）。また、ＣＰＵ２は、タイトル名の先頭の文字列が１単語以上同じでないと判断した場合（Ｓ４３：Ｎｏ）、又は、Ｓ４５の処理の後、保存されている省略文字を削除する（Ｓ４６）。次に、ＣＰＵ２は、全楽曲のタイトル名をリスト化したか否かを判断する（Ｓ４７）。ＣＰＵ２は、全楽曲のタイトル名をリスト化したと判断した場合（Ｓ４７：Ｙｅｓ）、処理を終了する。ＣＰＵ２は、全楽曲のタイトル名をリスト化していないと判断した場合（Ｓ４７：Ｎｏ）、Ｎを１増加させる（Ｓ４８）。次に、ＣＰＵ２は、Ｓ３２の処理を行う。
【００３４】
パターンリストを作成する場合のＤＡＰ１の処理動作を、図９に示すフローチャートに基づいて説明する。まず、ＣＰＵ２は、タイトル名を取得する（Ｓ５１）。次に、ＣＰＵ２は、ｉ、ｊを０とする（Ｓ５２）。次に、ＣＰＵ２は、タイトル名のｉ番目文字がスペースであるか否かを判断する（Ｓ５３）。ＣＰＵ２は、タイトル名のｉ番目文字がスペースであると判断した場合（Ｓ５３：Ｙｅｓ）、ｊを単語長として配列に格納する（Ｓ５４）。次に、ＣＰＵ２は、（ｉ−ｊ）番目〜ｉ番目を単語文字列として配列に格納する（Ｓ５５）。次に、ＣＰＵ２は、ｊを０とする（Ｓ５６）。次に、ＣＰＵ２は、ｉを１増加させる（Ｓ５７）。次に、ＣＰＵ２は、タイトル名のｉ番目文字が終端であるか否かを判断する（Ｓ５８）。ＣＰＵ２は、タイトル名のｉ番目文字が終端であると判断した場合（Ｓ４８：Ｙｅｓ）、処理を終了する。ＣＰＵ２は、タイトル名のｉ番目文字が終端でないと判断した場合（Ｓ４８：Ｎｏ）、Ｓ５３の処理を行う。
【００３５】
ＣＰＵ２は、タイトル名のｉ番目文字がスペースでないと判断した場合（Ｓ５３：Ｎｏ）、ｊを１増加させる（Ｓ５９）。従って、単語長が１増加する。次に、ＣＰＵ２は、Ｓ５７の処理を行う。
【００３６】
パターンリストの一致を確認する場合のＤＡＰ１の処理動作を、図１０に示すフローチャートに基づいて説明する。まず、ＣＰＵ２は、タイトル名Ａのパターンリストと、タイトル名Ｂのパターンリストと、を取得する（Ｓ６１）。次に、ＣＰＵ２は、ｉ、ｊを０とする（Ｓ６２）。次に、ＣＰＵ２は、タイトル名Ａのｉ番目の単語長と、タイトル名Ｂのｉ番目の単語長と、が一致するか否かを判断する（Ｓ６３）。ＣＰＵ２は、タイトル名Ａのｉ番目の単語長と、タイトル名Ｂのｉ番目の単語長と、が一致すると判断した場合（Ｓ６３：Ｙｅｓ）、タイトル名Ａのｉ番目の単語文字列と、タイトル名Ｂのｉ番目の単語文字列と、が一致するか否かを判断する（Ｓ６４）。ＣＰＵ２は、タイトル名Ａのｉ番目の単語文字列と、タイトル名Ｂのｉ番目の単語文字列と、が一致すると判断した場合（Ｓ６４：Ｙｅｓ）、０〜ｊ番目までの文字列をグループ名として配列に格納する（Ｓ６５）。
【００３７】
次に、ＣＰＵ２は、ｊを０とする（Ｓ６６）。ＣＰＵ２は、ｉを１増加させる（Ｓ６７）。ＣＰＵ２は、タイトル名のｉ番目文字が終端であるか否かを判断する（Ｓ６８）。ＣＰＵ２は、タイトル名のｉ番目文字が終端であると判断した場合（Ｓ６８：Ｙｅｓ）、処理を終了する。ＣＰＵ２は、タイトル名のｉ番目文字が終端でないと判断した場合（Ｓ６８：Ｎｏ）、Ｓ６３の処理を行う。
【００３８】
ＣＰＵ２は、タイトル名Ａのｉ番目の単語長と、タイトル名Ｂのｉ番目の単語長と、が一致していないと判断した場合（Ｓ６３：Ｎｏ）、処理を終了する。また、ＣＰＵ２は、タイトル名Ａのｉ番目の単語文字列と、タイトル名Ｂのｉ番目の単語文字列と、が一致していないと判断した場合（Ｓ６４：Ｎｏ）、ｊを１増加させる（Ｓ６９）。次に、ＣＰＵ２は、Ｓ６７の処理を行う。
【００３９】
以上説明したように、本実施形態では、ＣＰＵ２は、複数のタイトル名のうち、先頭のタイトル名を左詰で表示し、先頭のタイトル名以外の複数のタイトル名においては、重複文字列を省略した情報を表示する。このため、各タイトル名において、異なる情報が表示されるため、長い文字数のコンテンツ情報があっても、表示できる文字数が多くなる。これにより、ユーザーが所望のコンテンツを選択しやすくなる。
【００４０】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００４１】
上述の実施形態においては、コンテンツ情報を表示する表示装置として、ＤＡＰを例示した。これに限らず、スマートフォン、タブレットＰＣ等であってもよい。
【産業上の利用可能性】
【００４２】
本発明は、音楽等のコンテンツに関するコンテンツ情報を表示する表示装置、及び、表示装置の制御プログラムに好適に採用され得る。
【符号の説明】
【００４３】
１  ＤＡＰ（表示装置）
２  ＣＰＵ（制御部）
３  記憶部
４  表示部
５  操作部
６  ＤＳＰ
７  ＤＡＣ
８  増幅回路
１０１  ヘッドホン
【図１】
2018010704.tif 000003
【図２】
2018010704.tif 000004
【図３】
2018010704.tif 000005
【図４】
2018010704.tif 000006
【図５】
2018010704.tif 000007
【図６】
2018010704.tif 000008
【図７】
2018010704.tif 000009
【図８】
2018010704.tif 000010
【図９】
2018010704.tif 000011
【図１０】
2018010704.tif 000012
【図１１】
2018010704.tif 000013